(57)【要約】【課題】複数のドラムによって細かな演出を行うことができ、更に、これら複数のドラムとは異なる他のドラムによってより迫力のある演出をも行いうる遊技機用役物装置を提供する。【解決手段】遊技機用役物装置１０は、第２ケース７０によって外殻が構成され、第２ケース７０内に、それぞれ独立して回転可能な２つの内側ドラム２１、２２と、複数の内側ドラム２１、２２をそれぞれ駆動する複数のモータ３１、３２とが設けられている。更に、複数の内側ドラム２１、２２の外側で回転する外側ドラム４０と、外側ドラム４０を駆動するモータ５０とが設けられており、外側ドラム４０が複数の内側ドラム２１、２２に跨る構成で配置されている。【選択図】図３
2011098026.tif 000002
【特許請求の範囲】
【請求項１】
それぞれ独立して回転可能な複数の内側ドラムと、
複数の前記内側ドラムをそれぞれ駆動する複数の第１駆動手段と、
複数の前記内側ドラムの外側で回転する外側ドラムと、
前記外側ドラムを駆動する第２駆動手段と、
を備え、
前記外側ドラムが複数の前記内側ドラムに跨る構成で設けられていることを特徴とする遊技機用役物装置。
【請求項２】
複数の前記内側ドラムは、いずれも所定の幅方向に延びる第１回転軸を中心として回転可能に構成され、
前記外側ドラムは、複数の前記内側ドラムの外側において前記幅方向に延びる第２回転軸を中心として回転可能に構成されており、且つ前記幅方向における複数の前記内側ドラムの配置領域に跨る構成で、前記外側ドラムが配置されていることを特徴とする請求項１に記載の遊技機用役物装置。
【請求項３】
複数の前記内側ドラムを収容する筒状の第１ケースを備え、
前記第１ケースにおける前記幅方向の一方側の端部が支持部材によって片持構造で支持されており、
前記外側ドラムは、筒状に構成されると共に、前記幅方向の前記一方側に開口部が形成され、
前記内側ドラムを前記第１ケース内に収容してなる構造体が、前記開口部を介して前記一方側から前記外側ドラムに挿入されていることを特徴とする請求項２に記載の遊技機用役物装置。
【請求項４】
前記外側ドラムを収容する第２ケースを備え、
前記第１ケースを支持する前記支持部材が、前記第２ケースにおける前記幅方向の前記一方側に設けられた壁部によって構成されており、
前記第２ケースにおける前記幅方向の前記一方側とは反対側に前記第２駆動手段が固定され、当該第２駆動手段の駆動軸が前記外側ドラムと連結されていることを特徴とする請求項３に記載の遊技機用役物装置。
【請求項５】
前記外側ドラムにおいて前記幅方向の前記一方側に設けられた第１の所定部分が、前記支持部材に設けられた、又は前記支持部材に固定された軸受部によって回転可能に支持されており、
前記外側ドラムにおいて前記幅方向の前記反対側に設けられた第２の所定部分が、前記第２駆動手段の前記駆動軸に連結されていることを特徴とする請求項４に記載の遊技機用役物装置。
【請求項６】
前記軸受部は、前記外側ドラムと当接可能な位置で回転可能に保持された回転部材を複数備え、これら複数の前記回転部材が前記外側ドラムの軸半径方向の移動を拘束すると共に、前記外側ドラムの回転に応じて回転することを特徴とする請求項５に記載の遊技機用役物装置。
【請求項７】
複数の前記内側ドラムのドラム間に配置されると共に、少なくともいずれかの前記内側ドラムを駆動する前記第１駆動手段が固定され、且つ発光素子が実装された基板と、
前記基板に実装された前記発光素子からの光を少なくとも前方側に反射する反射部を備えたリフレクタと、
を有し、
前記リフレクタの一部に、前記基板の周縁部前方を覆う被覆部が形成されていることを特徴とする請求項１から請求項６のいずれか一項に記載の遊技機用役物装置。
【請求項８】
前記基板として、いずれかの前記内側ドラムを駆動するいずれかの前記第１駆動手段を固定する第１基板と、他の前記内側ドラムを駆動する他の前記第１駆動手段を固定する第２基板とを備え、
前記リフレクタとして、前記第１基板の周縁部前方を被覆する第１被覆部が形成された第１リフレクタと、前記第２基板の周縁部前方を被覆する第２被覆部が形成された第２リフレクタとを備えたことを特徴とする請求項７に記載の遊技機用役物装置。
【請求項９】
前記基板として、いずれかの前記内側ドラムを駆動するいずれかの前記第１駆動手段を一方面側に固定すると共に、他の前記内側ドラムを駆動する他の前記第１駆動手段を他方面側に固定する兼用基板を備えたことを特徴とする請求項７に記載の遊技機用役物装置。
【請求項１０】
請求項１から請求項９のいずれか一項に記載の遊技機用役物装置を備えたことを特徴とする遊技機。
【発明の詳細な説明】
【技術分野】
【０００１】
本発明は、遊技機用役物装置及びそれを備えた遊技機に関するものである。
【背景技術】
【０００２】
パチンコ機等の遊技機では、表面に文字や図柄などが配列されてなるドラムを複数備えた役物装置が装飾に用いられている。この種の役物装置では、例えば、所定位置に表示させる図柄や文字の組み合わせを変えたり、或いはドラムの回転速度や回転態様を変更する等の方法で、遊技者に所定の遊技状態が到来したか、或いは所定の遊技状態の到来の可能性が高いか否か等を報知している。
【先行技術文献】
【特許文献】
【０００３】
【特許文献１】特開２００２−１２６２２９公報
【特許文献２】特許３９２３３９３号公報
【発明の概要】
【発明が解決しようとする課題】
【０００４】
ところで、上記遊技機用役物装置は、遊技者に装飾性やインパクトを与え、ひいては遊技の楽しさをより高めることを主たる目的としているが、従来のような広く一般に浸透した構成（単に複数のドラムを備えた構成）だけでは迫力感に欠ける点が否めなかった。
【０００５】
一方、複数のドラムを備えた構成において、更に装飾性を高めようとする技術としては、特許文献１、２のようなものが提供されている。例えば、特許文献１の技術では、各内側ドラムの外側に、一部を透明或いは半透明とした外側ドラムを配置し、各列ごとに二重ドラム構造を採用している。この技術によれば、各列の表示を内側ドラムだけでなく外側ドラムによっても行うことができるようになり、斬新な印象を与えやすくなる。しかしながら、このように各列ごとに二重ドラム構造を採用すると、各列ごとに複雑な表示を行うことができるものの、各列が個別に表示されるという点では従来と同様であるため、各列ごと注視する遊技者に対して迫力感を与えることができないという問題があった。
【０００６】
また、特許文献２には、スロットマシンにおいて複数のリールに跨るように小型の可動部材を配置した例が開示されているが（例えば、段落６１〜６８、図１８、図２０等）、このような小型の可動部材ではダイナミックな印象を与えにくいという問題があった。また、特許文献２では、この可動部材の動作に応じた残像表示を行っているが、残像表示自体に動きがなく静的な表示であるため、迫力感に欠けるという問題があった。
【０００７】
本発明は、上述した課題を解決するためになされたものであり、複数のドラムによって細かな演出を行うことができ、更に、これら複数のドラムとは異なる他のドラムによってより迫力のある演出をも行いうる遊技機用役物装置を提供することを目的とする。
【課題を解決するための手段】
【０００８】
本発明に係る遊技機用役物装置は、それぞれ独立して回転可能な複数の内側ドラムと、複数の前記内側ドラムをそれぞれ駆動する複数の第１駆動手段と、複数の前記内側ドラムの外側で回転する外側ドラムと、前記外側ドラムを駆動する第２駆動手段と、を備え、前記外側ドラムが複数の前記内側ドラムに跨る構成で設けられていることを特徴としている。
【０００９】
また、本発明において、複数の前記内側ドラムが、いずれも所定の幅方向の第１回転軸を中心として回転可能に構成され、前記外側ドラムが、複数の前記内側ドラムの外側において前記幅方向に延びる第２回転軸を中心として回転可能に構成されていてもよい。この場合、前記幅方向における複数の前記内側ドラムの配置領域に跨る構成で前記外側ドラムを配置する構成とすることができる。
【００１０】
また、本発明は、複数の前記内側ドラムを収容する筒状の第１ケースが設けられ、前記第１ケースにおける前記幅方向の一方側の端部が支持部材によって片持構造で支持され、更に、前記外側ドラムが、筒状に構成されると共に、前記幅方向の前記一方側に開口部が形成され、前記内側ドラムを前記第１ケース内に収容してなる構造体が、前記開口部を介して前記一方側から前記外側ドラムに挿入されるように構成されていてもよい。
【００１１】
また、上記のように第１ケースを設けた構成において、更に、前記外側ドラムを収容する第２ケースが設けられていてもよい。この場合、前記第１ケースを支持する前記支持部材が、前記第２ケースにおける前記幅方向の前記一方側に設けられた壁部によって構成され、前記第２ケースにおける前記幅方向の前記一方側とは反対側に前記第２駆動手段が固定され、当該第２駆動手段の駆動軸が前記外側ドラムと連結されていることが望ましい。
【００１２】
また、上記のように第２ケースを設けた構成において、更に、前記外側ドラムにおける前記幅方向の前記一方側に設けられた第１の所定部分が、前記支持部材に設けられた、又は前記支持部材に固定された軸受部によって回転可能に支持され、前記外側ドラムにおける前記幅方向の前記反対側に設けられた第２の所定部分が、前記第２駆動手段の前記駆動軸に連結されていてもよい。
【００１３】
また、上記のように軸受部を設けた構成において、更に、前記外側ドラムと当接可能な位置で回転可能に保持された回転部材が複数設けられていてもよい。この場合、これら複数の前記回転部材が前記外側ドラムの軸半径方向の移動を拘束すると共に、前記外側ドラムの回転に応じて回転するように構成されていることが望ましい。
【００１４】
また、本発明において、更に、複数の前記内側ドラムのドラム間に配置されると共に、少なくともいずれかの前記内側ドラムを駆動する前記第１駆動手段が固定され、且つ発光素子が実装された基板と、前記基板に実装された前記発光素子からの光を少なくとも前方側に反射する反射部を備えたリフレクタと、が設けられ、前記リフレクタの一部に、前記基板の周縁部前方を覆う被覆部が形成されていてもよい。
【００１５】
また、前記基板として、いずれかの前記内側ドラムを駆動するいずれかの前記第１駆動手段を固定する第１基板と、他の前記内側ドラムを駆動する他の前記第１駆動手段を固定する第２基板とが設けられていてもよい。この場合、前記リフレクタとして、前記第１基板の周縁部前方を被覆する第１被覆部が形成された第１リフレクタと、前記第２基板の周縁部前方を被覆する第２被覆部が形成された第２リフレクタとが設けられていることが望ましい。
【００１６】
また、前記基板として、いずれかの前記内側ドラムを駆動するいずれかの前記第１駆動手段を一方面側に固定すると共に、他の前記内側ドラムを駆動する他の前記第１駆動手段を他方面側に固定する兼用基板が設けられていてもよい。
【００１７】
また、本発明に係る遊技機用役物装置を設けることで特徴的な遊技機を構成することもできる。
【発明の効果】
【００１８】
本発明に係る遊技機用役物装置では、それぞれ独立して回転可能な複数の内側ドラムと、複数の前記内側ドラムをそれぞれ駆動する複数の第１駆動手段と、複数の前記内側ドラムの外側で回転する外側ドラムと、前記外側ドラムを駆動する第２駆動手段とが設けられており、前記外側ドラムが複数の前記内側ドラムに跨る構成で設けられている。
このようにすると、複数の内側ドラムについては、それぞれ独立して回転させることができ、細かな演出、多様な演出が可能となる。一方、外側ドラムについては、複数の内側ドラムに跨る構成で設けられているため、各内側ドラムに対して大幅に大きい回転領域で一体的に回転することとなり、小さな領域で細かな演出を行う各内側ドラムとのギャップを生じさせて、より迫力ある演出を行うことができる。
【００１９】
また、本発明において、複数の前記内側ドラムが、いずれも所定の幅方向の第１回転軸を中心として回転可能に構成され、前記外側ドラムが、複数の前記内側ドラムの外側において前記幅方向に延びる第２回転軸を中心として回転可能に構成されていてもよい。そして、この場合、前記幅方向における複数の前記内側ドラムの配置領域に跨る構成で前記外側ドラムを配置することが望ましい。
このようにすると、複数の内側ドラムと外側ドラムとがいずれも所定の幅方向に延びる回転軸を中心として回転することとなり、複数の内側ドラムと外側ドラムとをより効率的に配置しつつ、内側ドラムの配置領域に跨る外側ドラムによってより迫力ある演出を行うことができる。
【００２０】
また、本発明において、更に、複数の前記内側ドラムを収容する筒状の第１ケースが設けられ、前記第１ケースにおける前記幅方向の一方側の端部が支持部材によって片持構造で支持されていてもよい。この場合、前記外側ドラムが、筒状に構成されると共に、当該外側ドラムの前記幅方向の前記一方側に開口部が形成され、前記内側ドラムを前記第１ケース内に収容してなる構造体が、前記開口部を介して前記一方側から前記外側ドラムに挿入されるように構成されることが望ましい。
このようにすると、複数の内側ドラムを第１ケース内に組み付けてユニット化することができ、組み付けや取り外し（例えばメンテナンス時の取り外し等）を行いやすい構造とすることができる。また、外側ドラムと内側ドラムとの間に第１ケースを介在させることができるため、外側ドラムと内側ドラムとの干渉（例えば、部品劣化等に伴って一方のドラムの一部が他方のドラムに接触する等の干渉）をも抑えることができ、組み付け時及び使用時のいずれにも有利な合理的な構造となる。
【００２１】
また、上記のように第１ケースを設けた構成において、更に、前記外側ドラムを収容する第２ケースが設けられていてもよい。この場合、前記第１ケースを支持する前記支持部材が、前記第２ケースにおける前記幅方向の前記一方側に設けられた壁部によって構成され、前記第２ケースにおける前記幅方向の前記一方側とは反対側に前記第２駆動手段が固定され、当該第２駆動手段の駆動軸が前記外側ドラムと連結されていることが望ましい。
このようにすると、第２ケースによって外側ドラムを保護することができると共に、第２ケースの一部を第１ケースを支持する支持部材として兼用できるため、部品点数の削減をも図ることができる。
【００２２】
また、上記のように第２ケースを設けた構成において、更に、前記外側ドラムにおける前記幅方向の前記一方側に設けられた第１の所定部分が、前記支持部材に設けられた、又は前記支持部材に固定された軸受部によって回転可能に支持され、前記外側ドラムにおける前記幅方向の前記反対側に設けられた第２の所定部分が、前記第２駆動手段の前記駆動軸に連結されていてもよい。
このようにすると、外側ドラムの幅方向一方側を軸受部によって安定的に支持した上で、それとは反対側を第２駆動手段の駆動軸によって回転駆動することができるため、上記のように第１ケース及び第２ケースを設けた構造において、更に、外側ドラムをより安定的に回転させることができる。
【００２３】
また、上記のように軸受部を設ける場合、複数の回転部材がそれぞれ前記外側ドラムと当接可能な位置で回転可能に保持されていてもよい。この場合、これら複数の前記回転部材が前記外側ドラムの軸半径方向の移動を拘束すると共に、前記外側ドラムの回転に応じて回転するように構成されていることが望ましい。
このようにすると、外側ドラムの一方側（第２駆動手段とは反対側）をより安定的に支持しつつ、より円滑に回動させることができる。
【００２４】
また、本発明において、更に、複数の前記内側ドラムのドラム間に配置されると共に、少なくともいずれかの前記内側ドラムを駆動する前記第１駆動手段が固定され、且つ発光素子が実装された基板と、前記基板に実装された前記発光素子からの光を少なくとも前方側に反射する反射部を備えたリフレクタと、が設けられ、前記リフレクタの一部に、前記基板の周縁部前方を覆う被覆部が形成されていてもよい。
このようにすると、リフレクタに形成された反射部により、基板に実装された発光素子からの光を前方側に反射させることができ、装飾性を効果的に高めることができる。また、リフレクタの一部を基板の周縁部前方を被覆する被覆部として兼用しているため、基板の周縁部をカバーすることによる装飾機能と、発光素子からの光を反射することによる装飾機能とを部品点数を抑えて実現できる。特に、内側ドラム付近の部品点数の削減を図ることができるため、その分、内側ドラムの配置スペースを広く確保して内側ドラムを大型化することができ、ひいては当該遊技機用役物装置全体の装飾性をより一層向上させることができる。
【００２５】
また、前記基板として、いずれかの前記内側ドラムを駆動するいずれかの前記第１駆動手段を固定する第１基板と、他の前記内側ドラムを駆動する他の前記第１駆動手段を固定する第２基板とが設けられていてもよい。この場合、前記リフレクタとして、前記第１基板の周縁部前方を被覆する第１被覆部が形成された第１リフレクタと、前記第２基板の周縁部前方を被覆する第２被覆部が形成された第２リフレクタとが設けられていることが望ましい。
このようにすると、各第１駆動手段を各基板に配置して各第１駆動手段で生じる発熱を放熱しやすい構造とした上で、基板毎にリフレクタを配置して装飾性を高めることができる。
【００２６】
また、前記基板として、いずれかの前記内側ドラムを駆動するいずれかの前記第１駆動手段を一方面側に固定すると共に、他の前記内側ドラムを駆動する他の前記第１駆動手段を他方面側に固定する兼用基板が設けられていてもよい。
このようにすると、２つの内側ドラムをそれぞれ駆動する２つの第１駆動手段を単一の基板（兼用基板）によって保持することができるため、２つの内側ドラムを独立して駆動可能な構成を実現しつつ、部品点数を効果的に削減でき、省スペース化を図ることができる。
【００２７】
また、本発明に係る遊技機用役物装置を設けた遊技機とすることで、上述の効果を奏する遊技機を実現できる。
【図面の簡単な説明】
【００２８】
【図１】図１は、本発明の第１実施形態に係る遊技機用役物装置を備えた遊技機を例示する正面図である。
【図２】図２は、第１実施形態に係る遊技機用役物装置を斜め前方から見た斜視図である。
【図３】図３は、内側ドラム及び外側ドラムの回転位置が図２とは異なっている状態を示す斜視図である。
【図４】図４は、第１実施形態に係る遊技機用役物装置の正面図である。
【図５】図５は、図４のＡ−Ａ位置で切断した断面を示すＡ−Ａ断面図である。
【図６】図６は、図４のＢ−Ｂ位置で切断した断面を示すＢ−Ｂ断面図である。
【図７】図７（ａ）は、第１実施形態に係る遊技機用役物装置の左側面図であり、図７（ｂ）は、この遊技機用役物装置の右側面図である。
【図８】図８（ａ）は、第１実施形態に係る遊技機用役物装置の平面図であり、図８（ｂ）は、この遊技機用役物装置の底面図である。
【図９】図９は、第１実施形態に係る遊技機用役物装置の分解斜視図である。
【図１０】図１０は、図９とは異なる角度から見た分解斜視図である。
【図１１】図１１は、内側ドラムユニットを側壁部に組み付けた構成を示す斜視図である。
【図１２】図１２は、図１１の構成の正面図である。
【図１３】図１３は、内側ドラムユニットの一部（第１ケースの一部）を取り外した構成を示す斜視図である。
【図１４】図１４は、図１３の構成の正面図である。
【図１５】図１５は、内側ドラムユニットの分解斜視図である。
【図１６】図１６は、内側ドラムユニット内の一部部品を示す斜視図である。
【図１７】図１７は、内側ドラムユニットの外側に外側ドラムユニットを組み付けた構成を示す斜視図である。
【図１８】図１８は、図１７の構成の正面図である。
【図１９】図１９は、第１実施形態に係る遊技機用役物装置において第２ケースの前側ケースを外し、かつ外側ドラムの外周部を外した構成を示す斜視図である。
【図２０】図２０は、第２実施形態に係る遊技機用役物装置の第１ケース内の構成を概略的に示す概略断面図である。
【発明を実施するための形態】
【００２９】
[第１実施形態]
以下、本発明に係る遊技機用役物装置及び遊技機を具現化した第１実施形態について、図面を参照して説明する。なお、図１は、第１実施形態に係る遊技機用役物装置を備えた遊技機を例示する正面図であり、まず、図１を参照して遊技機１の概要を説明する。
【００３０】
（遊技機の構成）
図１に示す遊技機１は、いわゆるパチンコ機として構成されるものであり、木板、アクリル板等によって構成される遊技盤２の盤面(遊技盤２の前面)２ａに沿って遊技球の発射を誘導するガイドレール５が設けられ、このガイドレール５等によって区画された形態で遊技領域が形成されている。また、遊技盤２の中央付近には、各種表示を行い得る液晶表示部３が配置され、この液晶表示部３の下方には、横長の大入賞口を可変扉４ａによって開閉し得るアタッカー４が配置されている。そして、液晶表示部３の上方側には、本発明に係る遊技機用役物装置１０が配置されている。なお、遊技機１には、遊技盤２の前方において当該遊技盤２とほぼ平行に透明板（ガラス板等）が配置され、この透明板と遊技盤２との間を遊技球が流下するように構成されている。
【００３１】
（遊技機用役物装置の構成）
以下、第１実施形態に係る遊技機用役物装置１０について説明する。
図２は、第１実施形態に係る遊技機用役物装置を斜め前方から見た斜視図であり、図３は、内側ドラム及び外側ドラムの回転位置が図２とは異なっている状態を示す斜視図である。また、図４は、第１実施形態に係る遊技機用役物装置の正面図であり、図５は、この図４のＡ−Ａ位置で切断した断面を示すＡ−Ａ断面図であり、図６は、図４のＢ−Ｂ位置で切断した断面を示すＢ−Ｂ断面図である。また、図７（ａ）は、第１実施形態に係る遊技機用役物装置の左側面図であり、図７（ｂ）は、その右側面図である。また、図８（ａ）は、第１実施形態に係る遊技機用役物装置の平面図であり、図８（ｂ）は、その底面図である。また、図９は、第１実施形態に係る遊技機用役物装置の分解斜視図であり、  図１０は、図９とは異なる角度から見た分解斜視図である。
【００３２】
本発明に係る遊技機用役物装置１０は、図２〜図５に示すように、第２ケース７０によって外殻が構成されており、図５に示すように、第２ケース７０内に、それぞれ独立して回転可能な２つの内側ドラム２１、２２と、複数の内側ドラム２１、２２をそれぞれ駆動する複数のモータ３１、３２とが設けられている。更に、複数の内側ドラム２１、２２の外側で回転する外側ドラム４０と、外側ドラム４０を駆動するモータ５０とが設けられており、外側ドラム４０が複数の内側ドラム２１、２２に跨る構成で配置されている。以下、遊技機用役物装置１０を構成するこれら部品について詳述する。
【００３３】
まず、遊技機用役物装置１０の外殻をなす第２ケース７０について説明する。図６、図９に示すように、第２ケース７０は、前面側に前壁部７１が設けられ、後面側に後壁部７２が設けられており、これら前壁部７１と後壁部７２とが前後に対をなして配置されている。また、図７（ａ）、図９に示すように、左側（正面視したときの左側）に側壁部７６が設けられており、図７（ｂ）、図９に示すように、右側（正面視したときの右側）に側壁部７５が設けられており、これら側壁部７５、７６が左右に対をなして配置されている。更に、図８（ａ）、図９に示すように、上面側には上壁部７３が設けられ、図８（ｂ）、図９に示すように、下面側には下壁部７４が設けられており、これら上壁部７３及び下壁部７４が上下に対をなして配置されている。そして、これら前壁部７１、後壁部７２、側壁部７５、７６、上壁部７３、下壁部７４が連結されて箱状に構成され、内部に上述の各種部品（内側ドラム２１、２２や外側ドラム４０等）が収納されている。
【００３４】
図９等に示す代表例では、前側ケース７０ａと後側ケース７０ｂとが組み付けられて、前壁部７１、後壁部７２、側壁部７５、上壁部７３、下壁部７４が構成され、これに略板状の側壁部７６が組み付けられる構成をなしている。これら前側ケース７０ａ、後側ケース７０ｂ、側壁部７６は、いずれも樹脂部材などによって構成されており、例えば、ねじ等の連結部材によって互いに連結されている。
【００３５】
また、図２、図９に示すように、第２ケース７０の前壁部７１には、後述する外側ドラム４０の前方にカバー部７１ａが設けられており、このカバー部７１ａが、外側ドラム４０に沿って前方に凸となるように湾曲（具体的には、円筒状に湾曲）して形成されている。また、カバー部７１ａは、透明性の樹脂材料によって構成されており、カバー部７１ａの後方に配置される外側ドラム４０等が前方側からカバー部７１ａを介して視認できるように構成されている。
【００３６】
次に、内側ドラムユニット１２及び外側ドラムユニット１４について説明する。
なお、図１０は、図９とは異なる角度から見た分解斜視図であり、図１１は、内側ドラムユニットを側壁部に組み付けた構成を示す斜視図であり、図１２は、その正面図である。また、図１３は、内側ドラムユニットの一部（第１ケースの一部）を取り外した状態を示す斜視図であり、図１４は、その正面図であり、図１５は、内側ドラムユニットの分解斜視図である。また、図１６は、内側ドラムユニット内の一部部品を示す斜視図である。
【００３７】
図５、図１０に示すように、内側ドラムユニット１２は、筒状の第１ケース６０によって外殻が構成されており、図５、図１３、図１４に示すように、この第１ケース６０の内部に、２つの内側ドラム２１、２２が回転可能に配置されている。これら２つの内側ドラム２１、２２は、いずれも回転軸Ｇ１（図５、図１４）を中心として回転可能に配置されている。なお、回転軸Ｇ１は、「第１回転軸」の一例に相当する。
【００３８】
図１０に示すように、内側ドラムユニット１２の外殻をなす第１ケース６０は、全体として略円筒状の外周面を有しており、内側ドラムユニット１２全体が略円柱状に構成されている。また、第１ケース６０における幅方向の一方側の端部６０ｃは、図１１、図１２に示すように第２ケース７０の側壁部７６（側壁部７６は「支持部材」の一例に相当）に固定されて片持構造で支持されており、側壁部７６側を基端側として幅方向他方側に延びた構成をなしている。なお、本発明では、内側ドラム２１、２２の回転中心（回転軸Ｇ１）の方向を幅方向としている。
【００３９】
第１ケース６０を側壁部７６に固定する固定構造は様々に考えられ、側壁部７６に第１ケース６０が安定的に固定される構造であればよい。図１０、図１１、図１５に示す代表例では、第１ケース６０の一方側の端部６０ｃにおいて、複数の係合部６１ａ、６１ｂ、６１ｃ、６１ｄ、６１ｅが間隔をあけて形成されており、これら係合部６１ａ、６１ｂ、６１ｃ、６１ｄ、６１ｅを側壁部７６に形成された被係合部７６ａ、７６ｂ、７６ｃ、７６ｄ、７６ｅにそれぞれ係合させることで、第１ケース６０を側壁部７６に固定している。なお、第１ケース６０と側壁部７６は、更に図示しない連結部材（ねじ部材）によって連結されていてもよい。
【００４０】
また、図１１、図１５に示すように、第１ケース６０は、前後方向中心部で前側ケース６０ａと後側ケース６０ｂとに分割された構成をなしており、これら前側ケース６０ａと後側ケース６０ｂとが結合することで筒状体として構成されるようになっている。具体的には、図１５に示すように、後側ケース６０ｂの上部及び下部に、前側に延出する係止片６２ａ、６２ｂ、６２ｃ、６２ｄが形成されており、これら係止片６２ａ、６２ｂ、６２ｃ、６２ｄが前側ケース６０ａの上部に形成された被係止部６３ａ、６３ｂ及び下部に形成された図示しない被係止部と係合することにより、前側ケース６０ａと後側ケース６０ｂとが一体的に連結するようになっている。
【００４１】
また、第１ケース６０は、前側ケース６０ａ及び後側ケース６０ｂのいずれもが透明性を有する樹脂部材によって構成されており、図１１、図１２に示すように前側ケース６０ａの前面部には、透明な窓部６４が形成されている。この窓部６４は、例えば第１ケース６０の幅方向略全領域に亘り、且つ第１ケース６０の上下方向中心部付近においてある程度の領域に亘る構成で外側ドラム４０の前側部分を覆うように形成されており、遊技機用役物装置１０の前方側から当該窓部６４を介して（より詳しくは、前方側から、第２ケース７０のカバー部７１ａ、外側ドラム４０、及び、窓部６４を介して）後述する内側ドラム２１、２２を視認できるように構成されている。
【００４２】
内側ドラム２１、２２は、図１３、図１４に示すように、第１ケース６０の内部において幅方向に並んで隣接配置されており、いずれの内側ドラム２１、２２も、回転軸Ｇ１（図１４）を中心として回転し得る構成をなしている。内側ドラム２１、２２は、それぞれ円筒状の外周部２１ａ、２２ａを有しており、この外周部２１ａ、２２ａにはそれぞれ予め定められた文字や図柄が形成されている。なお、図１５には、外周部２１ａ、２２ａに「Ｖ」という文字が形成された例を示しているが、この例はあくまで一例であり、例えば、２以上の文字や図柄が所定の配列で形成されていてもよい。
【００４３】
また、図１５に示すように、内側ドラム２１、２２にはそれぞれ、後述するモータ３１、３２に連結する回転フレーム２１ｂ、２２ｂが設けられており、この回転フレーム２１ｂ、２２ｂの周囲にテープ状の外周部２１ａ、２２ａが円筒状に貼り付けられている。なお、円筒状に構成される両外周部２１ａ、２２ａの形状はほぼ同一となっており、図１４に示すように、両外周部２１ａ、２２ａの径もほぼ同一となっている（図５も参照）。
【００４４】
更に、図１３、図１４に示すように、内側ドラム２１、２２に隣接して第１基板９１及び第２基板９２が配置されている。本実施形態では、両内側ドラム２１、２２が幅方向に所定距離を隔てて配置されており、第１基板９１は、これら内側ドラム２１、２２の間において、内側ドラム２１、２２よりも上方位置及び下方位置にそれぞれ延びる構成で配置されている。一方、図１４に示すように、第１ケース６０を構成する後側ケース６０ｂにおいて内壁部の幅方向中央位置付近には、上部及び下部にそれぞれ溝部６４ａ、６４ｂが形成され、更に、図１５に示すように、後方部にも溝部６４ｃが形成されており、第１基板９１はこれら溝部６４ａ、６４ｂ、６４ｃに周縁部が保持された構成で後側ケース６０ｂに固定されている。
【００４５】
また、図１３、図１４に示すように、第２基板９２は、内側ドラム２２の幅方向外側（即ち内側ドラム２２に対して内側ドラム２１とは反対側）に配置されており、内側ドラム２２よりも上方位置及び下方位置にそれぞれ延びている。一方、図１４に示すように、後側ケース６０ｂの内壁部において幅方向端部寄りの上部及び下部には、それぞれ溝部６５ａ、６５ｂが形成され、更に、図１５に示すように、後方部にも溝部６５ｃが形成されており、第２基板９２はこれら溝部６５ａ、６５ｂ、６５ｃに周縁部が保持された構成で後側ケース６０ｂに固定されている。
【００４６】
上記のように第１ケース６０に組み付けられる第１基板９１及び第２基板９２には、図１５に示すように、内側ドラム２１、２２を回転駆動するモータ３１、３２（モータ３１、３２は、「第１駆動手段」の一例に相当）がそれぞれ固定されている。一方のモータ３１は、第１基板９１の一方の板面（内側ドラム２１側の板面）上に固定されており、内側ドラム２１側に突出する駆動軸３１ａが、当該内側ドラム２１の中心部に固定され、この駆動軸３１ａの回転に応じて内側ドラム２１が回転軸Ｇ１（図５）を中心として回転するように構成されている（図５も参照）。また、他方のモータ３２は、第２基板９２の一方の板面（内側ドラム２２側の板面）上に固定されており、内側ドラム２２側に突出する駆動軸３２ａが、当該内側ドラム２２の中心部に固定され、この駆動軸３２ａの回転に応じて内側ドラム２２が回転軸Ｇ１（図５）を中心として回転するように構成されている（図５も参照）。なお、図５では、モータ３１、３２の構成を概略的に示しているが、これらモータ３１、３２は、具体的にはいずれもステッピングモータとして構成されており、図示しないモータ駆動回路によって駆動されると共に、このモータ駆動回路及びＣＰＵの制御によって駆動軸３１ａ、３２ａの回転制御がなされるように構成されている。
【００４７】
また、図１５、図１６に示すように、第１基板９１における内側ドラム２１側の板面には、複数の発光素子９３ａ、９３ｂ、９３ｃ、９３ｄが実装されている。これら発光素子９３ａ、９３ｂ、９３ｃ、９３ｄは例えばＬＥＤなどによって構成されており、図示しないＣＰＵ及び発光素子駆動回路によって点灯、消灯が制御されている。具体的には、第１基板９１の前方寄りの位置（より詳しくはモータ３１の前方側の位置）に４つの発光素子９３ａ、９３ｂ、９３ｃ、９３ｄが配置されており、いずれも内側ドラム２１の前端部付近で光を発する構成をなしている。
【００４８】
また、図１５、図１６に示すように、第２基板９２における内側ドラム２２側の板面にも、複数の発光素子９４ａ、９４ｂ、９４ｃ、９４ｄが実装されている。これら発光素子９４ａ、９４ｂ、９４ｃ、９４ｄもＬＥＤ等によって構成され、図示しないＣＰＵ及び発光素子駆動回路によって点灯、消灯が制御されている。具体的には、第２基板９２の前方寄りの位置（より詳しくはモータ３２の前方側の位置）に４つの発光素子９４ａ、９４ｂ、９４ｃ、９４ｄが配置されており、いずれも内側ドラム２２の前端部付近で光を発する構成をなしている。
【００４９】
更に、図１５、図１６に示すように、第１基板９１の前方側には、第１リフレクタ１１０（第１リフレクタ１１０は、「リフレクタ」の一例に相当）が配置されている。この第１リフレクタ１１０には、第１基板９１の周縁部前方を被覆する第１被覆部１１１と、第１基板９１に実装された発光素子９３ａ、９３ｂ、９３ｃ、９３ｄからの光を少なくとも前方側に反射する第１反射部１１３とが設けられており、これら第１被覆部１１１及び第１反射部１１３が例えば樹脂成型などによって一体的に形成されている。図１３に示すように、第１被覆部１１１は、上下方向において内側ドラム２１の中心位置（即ち、回転軸Ｇ１の位置）を跨いで当該上下方向所定領域に亘って設けられており（具体的には、図１２に示す窓部６４の上下方向ほぼ全領域に亘る構成で設けられており）、第１基板９１の前端部における当該所定領域部分が前方側から視認されることを防止し、装飾性を高めている。
【００５０】
また、図１５、図１６に示すように、第１反射部１１３は、この第１被覆部１１１から幅方向一方側（内側ドラム２１側）に延びており、内側ドラム２１の外周部２１ａの裏側においてモータ３１の外周及び内側ドラム２１ａの外周部２１ａに沿った構成で湾曲して配置されている（図５、図１３も参照）。また、第１リフレクタ１１０の他端側（第１基板９１側）において第１反射部１１３と第１被覆部１１１との間には、外周部２１ａ（図１５）に沿って湾曲して形成された隙間部１１５ａ、１１５ｂが、上下方向所定領域に亘って設けられており、発光素子９３ａ、９３ｂからの光が隙間部１１５ａを介して第１反射部１１３の前面側に漏洩し、発光素子９３ｃ、９３ｄからの光が隙間部１１５ｂを介して第１反射部１１３の前面側に漏洩するように構成されている。隙間部１１５ａ、１１５ｂを介して第１反射部１１３側に漏洩する光は、当該第１反射部１１３自体を光らせると共に第１反射部１１３の前面部等によって前方側に反射されるようになっている。更に、内側ドラム２１の外周部２１ａの少なくとも一部（望ましくはほぼ全体）が光透過性を有しており、第１反射部１１３にて前方側に反射された光は外周部２１ａ自体を光らせると共に、当該外周部２１ａを透過してさらに前方側に照射されるようになっている。
【００５１】
また、図１５、図１６に示すように、第２基板９２の前方側にもリフレクタ（第２リフレクタ１２０）が配置されている。この第２リフレクタ１２０も、「リフレクタ」の一例に相当し、第２基板９２の周縁部前方を被覆する第２被覆部１２１と、第２基板９２に実装された発光素子９４ａ、９４ｂ、９４ｃ、９４ｄからの光を少なくとも前方側に反射する第２反射部１２３とが設けられ、これら第２被覆部１２１及び第２反射部１２３が例えば樹脂成形などによって一体的に形成されている。図１３に示すように、第２被覆部１２１は、上下方向において内側ドラム２２の中心位置（即ち、回転軸Ｇ１の位置）を跨いで当該上下方向所定領域に亘って設けられており（具体的には、図１２に示す窓部６４の上下方向ほぼ全領域に亘る構成で設けられており）、第２基板９２の前端部における当該所定領域部分が前方側から視認されることを防止し、装飾性を高めている。
【００５２】
また、図１５、図１６に示すように、第２反射部１２３は、この第２被覆部１２１から幅方向一方側（内側ドラム２２側）に延びており、内側ドラム２２の外周部２２ａの裏側においてモータ３２の外周及び内側ドラム２２ａの外周部２２ａに沿った構成で湾曲して配置されている（図５、図１３も参照）。また、第２リフレクタ１２０の他端側（第２基板９２側）において第２反射部１２３と第２被覆部１２１との間には、外周部２２ａに沿って湾曲して形成された隙間部１２５ａ、１２５ｂが上下方向所定領域に亘って設けられており、発光素子９４ａ、９４ｂからの光が隙間部１２５ａを介して第２反射部１２３の前面側に漏洩し、発光素子９４ｃ、９４ｄからの光が隙間部１２５ｂを介して第２反射部１２３の前面側に漏洩するように構成されている。隙間部１２５ａ、１２５ｂを介して第２反射部１２３の前面側に漏洩する光は、当該第２反射部１２３自体を光らせると共に第２反射部１２３の前面部等によって前方側に反射されるようになっている。更に、内側ドラム２１の外周部２１ａの少なくとも一部（望ましくはほぼ全体）が光透過性を有しており、第２反射部１２３にて反射された光は外周部２２ａ自体を光らせると共に、当該外周部２２ａ透過して前方側に照射されるようになっている。なお、第１リフレクタ１１０は、ねじ部材９７ａ、９７ｂによって第１基板９１に固定されており、第２リフレクタ１２１は、ねじ部材９８ａ、９８ｂによって第２基板９２に安定的に固定されている。なお、内側ドラムユニット１２内の配線（第１基板９１、第２基板９２と装置外とを電気的に接続するための配線等）については、図示はしていないが、第1ケース６０の背面側の外周面に沿って配置され、側壁部７６側の開口から外部に引き出されている。
【００５３】
次に、外側ドラムユニット１４について説明する。
図１７は、内側ドラムユニットの外側に外側ドラムユニットを組み付けた構成を示す斜視図であり、図１８は、図１７の構成の正面図である。また、図１９は、第１実施形態に係る遊技機用役物装置において第２ケースの前側ケースを外し、かつ外側ドラムの外周部を外した構成を示す斜視図である。
【００５４】
外側ドラムユニット１４は、図１０に示すように、外側ドラム４０と、この外側ドラム４０を駆動するモータ５０（モータ５０は、「第二駆動手段」の一例に相当）とによって構成されており、図５に示すように、外側ドラム４０が内側ドラムユニット１２の外側（即ち第１ケース６０の外側）を全体的に覆う構成で、図１７〜図１９のように組み付けられている。
【００５５】
外側ドラム４０は、図９、図１０に示すように円筒状に構成され、図５に示すように幅方向において２つの内側ドラム２１、２２の配置領域に跨る構成で配置されている。また、この外側ドラム４０は、図１０に示すように、後述するモータ５０に連結する回転フレーム４２を備え（図１９等も参照）、この回転フレーム４２の周囲に、外周部４１が円筒状に貼り付けられている（図１７、図１８も参照）。
【００５６】
回転フレーム４２は、図９に示すように、幅方向一端部が環状部４２ａによって構成され、図１０に示すように幅方向他端部が複数の孔が形成されてなる壁部４２ｂによって構成されており、これら環状部４２ａと壁部４２ｂとの間には、図９、図１９のように複数本の架設部４２ｃが配されている。架設部４２ｃは、幅方向に棒状に延びており、図１９のように、複数の架設部４２ｃが互いに距離をあけて第１ケース６０の周囲を取り囲む構成で周方向に並んで配されている。なお、本実施形態では、これら架設部４２ｃが例えば遮光性の部材によって構成され、架設部４２ｃに沿って円筒状に配される外周部４１は光透過性の部材によって構成されている。このようにすると、架設部４２ｃによって外側ドラム４０の領域を区画する効果が得られ、図柄などにメリハリをつけることができる。なお、架設部４２ｃを光透過性の部材によって構成することもできる。
【００５７】
また、外側ドラム４０は、図５に示すように、内側ドラム２１の外周部２１ａの半径方向外側において当該外周部２１ａと対向し、且つ内側ドラム２２の外周部２２ａの半径方向外側において当該外周部２２ａと対向するように内部に２つの内側ドラム２１、２２を収容する構成で設けられており、更に、これら２つの内側ドラム２１、２２の回転軸Ｇ１を中心として回転可能に構成されている。なお、回転軸Ｇ１は、「第２回転軸」の一例に相当する。
【００５８】
また、図５、図６、図９に示すように、外側ドラム４０は、幅方向一方側に開口部４３が形成されており、図５に示すように、内側ドラム２１、２２を第１ケース６０内に収容してなる内側ドラムユニット１２（内側ドラムユニット１２は、「構造体」の一例に相当）が、開口部４３を介して幅方向一方側から外側ドラム４０に挿入されている。また、外側ドラムユニット１４全体が上述の第２ケース７０に収容されており、外側ドラム４０部分が第２ケース７０のカバー部７１ａを介して前方から視認できるように構成されている（図２、図３参照）。
【００５９】
また、本実施形態では、図６に示すように、側壁部７６における第１ケース６０の上方及び下方の位置に軸受部８０ａ、８０ｂがそれぞれ固定されている（図９、図１０も参照）。これら軸受部８０ａ、８０ｂは、外側ドラム４０の外周部４１と当接して当該外周部４１を回転可能に支持するものであり、外周部４１は幅方向一方側の被支持部分を軸受部８０ａ、８０ｂに支持された状態で回転軸Ｇ１を中心として回転するように構成されている。なお、本実施形態では、外側ドラム４０の外周部４１における幅方向一方側の被支持部分（軸受部８０ａ、８０ｂによって支持される部分）が「第１の所定部分」の一例に相当する。
【００６０】
図６に示すように、外側ドラム４０の上方側に配される軸受部８０ａには、外側ドラム４０と当接可能な位置において回転部材８１、８２が回転可能な状態で保持されており、外側ドラム４０の下方側に配される軸受部８０ｂには、外側ドラム４０と当接可能な位置において回転部材８３、８４が回転可能な状態で保持されている。このように回転部材８１、８２が外側ドラム４０の上方側を支持し、回転部材８３、８４が外側ドラム４０の下方側を支持することで、外側ドラム４０の軸半径方向の移動が拘束され、外側ドラム４０の回転に応じて各回転部材８１、８２、８３、８４が連れ回ることで、外側ドラム４０との間の摩擦力が低減された状態で外側ドラム４０が円滑に回転するようになっている。
【００６１】
また、図５に示すように、第２ケース７０における他方側の側壁部７５にモータ５０が固定されており、モータ５０の駆動軸５２が外側ドラム４０の壁部４２ａ（壁部４２ａは、「第２の所定部分」の一例に相当）連結されている（図１８、図１９も参照）。このように、本実施形態では、外側ドラム４０の幅方向一方側が軸受部８０ａ、８０ｂによって支持され、且つ幅方向他方側がモータ５０の駆動軸５２によって支持されているため、外側ドラム４０が両持ち状態で安定的に回転するようになっている。
【００６２】
（第１実施形態の主な効果）
本発明に係る遊技機用役物装置１０では、それぞれ独立して回転可能な複数の内側ドラム２１、２２と、複数の内側ドラム２１、２２をそれぞれ駆動する複数のモータ３１、３２と、複数の内側ドラム２１、２２の外側で回転する外側ドラム４０と、外側ドラム４０を駆動するモータ５０とが設けられており、外側ドラム４０が複数の内側ドラム２１、２２に跨る構成で設けられている。
このようにすると、複数の内側ドラム２１、２２については、それぞれ独立して回転させることができ、細かな演出、多様な演出が可能となる。一方、外側ドラム４０については、複数の内側ドラム２１、２２に跨る構成で設けられているため、各内側ドラム２１、２２に対して大幅に大きい回転領域で一体的に回転することとなり、小さな領域で細かな演出を行う各内側ドラム２１、２２とのギャップを生じさせて、より迫力ある演出を行うことができる。特に、内側ドラム２１、２２の外側だけでなく、これら内側ドラム２１、２２の隙間部分も覆う形態で外側ドラムが切れ目なく一体的に配置されているため、各内側ドラムのそれぞれの外側に外側ドラムを個別に配置するような構成と比較して、外側ドラムの一体感、迫力を格段に高めることができる。
このような構成によれば、例えば、ある遊技状態のときには、図２のように主として内側ドラム２１、２２によって細かな表示を行い、別の遊技状態のときには、図３のように主として外側ドラム４０によって複数の内側ドラム２１、２２に跨るような迫力ある表示を行うようなことが可能となり、遊技者に大きなインパクトを与えることができる。
【００６３】
また、本実施形態では、複数の内側ドラム２１、２２が、いずれも所定の幅方向の回転軸Ｇ１（第１回転軸に相当）を中心として回転可能に構成され、外側ドラム４０が、複数の内側ドラム２１、２２の外側において幅方向に延びる回転軸Ｇ１（第２回転軸にも相当）を中心として回転可能に構成されている。そして、幅方向において複数の内側ドラム２１、２２の配置領域に跨る構成で外側ドラム４０が配置されている。
このようにすると、複数の内側ドラム２１、２２と外側ドラム４０とがいずれも所定の幅方向に延びる回転軸Ｇ１を中心として回転することとなり、複数の内側ドラム２１、２２と外側ドラム４０とをより効率的に配置しつつ、内側ドラム２１、２２の配置領域に跨る外側ドラム４０によってより迫力ある演出を行うことができる。
【００６４】
また、本実施形態では、複数の内側ドラム２１、２２を収容する筒状の第１ケース６０が設けられ、第１ケース６０における幅方向の一方側の端部が側壁部７６（支持部材）によって片持構造で支持されている。更に、外側ドラム４０が筒状に構成されると共に、当該外側ドラム４０の幅方向一方側に開口部４３が形成され、内側ドラム２１、２２を第１ケース６０内に収容してなる内側ドラムユニット１２（構造体）が、開口部４３を介して一方側から外側ドラム４０に挿入されている。
このようにすると、複数の内側ドラム２１、２２を第１ケース６０内に組み付けてユニット化することができ、組み付けや取り外し（例えばメンテナンス時の取り外し等）を行いやすい構造とすることができる。また、外側ドラム４０と内側ドラム２１、２２との間に第１ケース６０を介在させることができるため、外側ドラム４０と内側ドラム２１、２２との干渉（例えば、部品劣化等に伴って一方のドラムの一部が他方のドラムに接触する等の干渉）をも抑えることができ、組み付け時及び使用時のいずれにも有利な合理的な構造となる。
【００６５】
また、外側ドラム４０を収容する第２ケース７０が設けられ、第２ケース７０の幅方向一方側に設けられた側壁部７６が、第１ケース６０を支持する支持部材として兼用されている。そして、第２ケース７０の幅方向一方側（即ち側壁部７６の側）とは反対側にモータ５０が固定され、当該モータ５０の駆動軸５２が外側ドラム４０と連結されている。
このようにすると、第２ケース７０によって外側ドラム４０を保護することができると共に、第２ケース７０の一部を第１ケース６０を支持する支持部材として兼用できるため、部品点数の削減をも図ることができる。
【００６６】
また、外側ドラム４０の幅方向一方側に設けられた所定部分（第１の所定部分）が、側壁部７６（支持部材）に固定された軸受部８０ａ、８０ｂによって回転可能に支持され、外側ドラム４０の幅方向他方側に設けられた壁部４２ｂ（第２の所定部分）が、モータ５０の駆動軸５２に連結されている。
このようにすると、外側ドラム４０の幅方向一方側を軸受部８０ａ、８０ｂによって安定的に支持した上で、それとは反対側をモータ５０の駆動軸５２によって回転駆動することができるため、上記のように第１ケース６０及び第２ケース７０を設けた構造において、更に、外側ドラム４０をより安定的に回転させることができる。
【００６７】
また、軸受部８０ａ、８０ｂにおいて、複数の回転部材８１、８２、８３、８４がそれぞれ外側ドラム４０と当接可能な位置で回転可能に保持されており、これら複数の回転部材８１、８２、８３、８４が外側ドラム４０の軸半径方向の移動を拘束すると共に、外側ドラム４０の回転に応じて回転するように構成されている。このようにすると、外側ドラム４０の一方側（モータ５０とは反対側）をより安定的に支持しつつ、より円滑に回動させることができる。
【００６８】
また、本実施形態では、複数の内側ドラム２１、２２のドラム間に基板が配置されると共にこの基板にモータ及び発光素子が実装されており、更に、基板に実装された発光素子からの光を少なくとも前方側に反射する反射部を備えたリフレクタが設けられている。そして、リフレクタの一部に、基板の周縁部前方を覆う被覆部が形成されている。
より具体的には、内側ドラム２１を駆動するモータ３１を固定する第１基板９１と、内側ドラム２２を駆動するモータ３２を固定する第２基板９２とが設けられ、更に、第１基板９１の周縁部前方を被覆する第１被覆部１１１が形成された第１リフレクタ１１０と、第２基板９２の周縁部前方を被覆する第２被覆部１２１が形成された第２リフレクタ１２０とが設けられている。
このようにすると、リフレクタに形成された反射部により、基板に実装された発光素子からの光を前方側に反射させることができ、装飾性を効果的に高めることができる。また、リフレクタの一部を基板の周縁部前方を被覆する被覆部として兼用しているため、基板の周縁部をカバーすることによる装飾機能と、発光素子からの光を反射することによる装飾機能とを部品点数を抑えて実現できる。特に、内側ドラム２１、２２付近の部品点数の削減を図ることができるため、その分、内側ドラム２１、２２の配置スペースを広く確保して内側ドラム２１、２２を大型化することができ、ひいては当該遊技機用役物装置１０全体の装飾性をより一層向上させることができる。
また、各モータ３１、３２を各基板に配置して各モータ３１、３２で生じる発熱を放熱しやすい構造とした上で、基板毎にリフレクタを配置して装飾性を高めることができる。
【００６９】
[第２実施形態]
次に、本発明の第２実施形態について説明する。なお、図２０は、第２実施形態に係る遊技機用役物装置の第１ケース内の構成を概略的に示す概略断面図である。
なお、第２実施形態に係る遊技機用役物装置は、第１ケース内の構成以外は第１実施形態と同一であり、モータ２３１、内側ドラム２２１については、第１実施形態のモータ３１、内側ドラム２１と同一構成をなしている。また、モータ２３２、内側ドラム２２２については、取り付ける基板を異ならせた点、及び第１実施形態のモータ３２、内側ドラム２２に対して左右対称に構成した点のみが第１実施形態と異なっている。
【００７０】
本実施形態では、内側ドラム２２１を駆動するモータ２３１を一方面側に固定すると共に、内側ドラム２２２を駆動するモータ２３２を他方面側に固定する兼用基板２９１が設けられている。なお、基板２９１を第１ケース６０内に取り付ける構成は、第１実施形態における基板９１を第１ケース６０に固定する構成と同様である。このようにすると、２つの内側ドラム２２１、２２２をそれぞれ駆動する２つのモータ２３１、２３２を単一の基板（兼用基板）によって保持することができるため、２つの内側ドラム２２１、２２２を独立して駆動可能な構成を実現しつつ、部品点数を効果的に削減でき、省スペース化を図ることができる。
【００７１】
［他の実施形態]
本発明は上記記述及び図面によって説明した実施形態に限定されるものではなく、例えば次のような実施形態も本発明の技術的範囲に含まれる。
【００７２】
上記実施形態では、外側ドラム４０の内部に２つの内側ドラム２１、２２を設けた構成を例示したが、３つ以上の内側ドラムが幅方向に並んで配置され、外側ドラムが３つ以上の内側ドラムに跨るように配置されていてもよい。この場合、各内側ドラムに対応させて、各内側ドラムを駆動する各モータ（第１駆動手段）を実装した基板をそれぞれ設け、これら各基板を覆うように第１実施形態と同様のリフレクタをそれぞれ設けるようにすればよい。例えば、内側ドラムが３つであれば、第１実施形態と同様の第１基板、第２基板に加え、これらと同様の第３基板を設け、これら第１基板、第２基板、第３基板をそれぞれ覆うように、第１実施形態と同様の第１リフレクタ、第２リフレクタに加え、これらと同様の第３リフレクタを設けるようにすればよい。また、内側ドラムが４以上であれば、上記構成に加え、更に１又は複数の基板を設け、これら１又は複数の基板をそれぞれ覆うように、各リフレクタ（第１実施形態の第１、第２リフレクタと同様のリフレクタ）を設けるようにすればよい。
【００７３】
上記実施形態では、２つの内側ドラム２１、２２の回転軸と、外側ドラム４０の回転軸とが同一である例を示したが、これら回転軸が若干ずれて平行に配置されていてもよい。
【００７４】
上記実施形態では、外側ドラムに「大当たり」という文字領域が構成され、当該文字領域以外が例えば透明に構成された例を示したが、外側ドラムに表示されるデザインを他の種類の文字や図柄に変えてもよく、また、文字や図柄或いはこれらの結合からなるデザインが１又は複数の領域に形成されていてもよい。
【００７５】
上記実施形態では、側壁部７６（支持部材）に軸受部８０ａ、８０ｂが固定された構成を例示したが、側壁部７６と軸受部８０ａ、８０ｂの一部が一体的に構成されていてもよい。
【００７６】
上記実施形態では、転がり軸受として構成された軸受部８０ａ、８０ｂを例示したが、軸受部がすべり軸受として外側ドラム４０を支持していてもよい。
【００７７】
上記実施形態では、複数の内側ドラムが横方向に並ぶ例を示したが、複数の内側ドラムが上下に並ぶ構成であってもよい。例えば、図１に示す液晶表示機３の側方（図１の例では右側が望ましい）に本発明に係る遊技機用役物装置を配置し、複数の内側ドラム及び外側ドラムが遊技機１の上下方向に延びる回転軸を中心として回転する構成としてもよい。
【００７８】
上記実施形態では、外側ドラム４０を駆動するモータ５０が第２ケース７０の内側に固定される例を示したが、外側ドラム４０を駆動するモータを第２ケース７０の外側に設けてもよい。この場合、例えば、モータ５０の前面側（駆動軸５２が延出する側）を第２ケース７０の側壁部７５の外面に固定し、駆動軸５２については当該側壁部７５及び基板９２を貫通させて外側ドラム４０側に延出させるようにすればよい。この場合、側壁部７５及び基板９２に駆動軸５２を挿通させるための孔が形成されることとなる。
【符号の説明】
【００７９】
１…遊技機
１０…遊技機用役物装置
１２…内側ドラムユニット（構造体）
２１、２２…内側ドラム
３１、３２…モータ（第１駆動手段）
４０…外側ドラム
４２ｂ…壁部（第二の所定部分）
４３…開口部
５０…モータ（第２駆動手段）
５２…駆動軸
６０…第１ケース
７０…第２ケース
７６…側壁部（壁部、支持部材）
８０ａ、８０ｂ…軸受部
８１、８２、８３、８４…回転部材
９１…第１基板（基板）
９２…第２基板（基板）
９３ａ、９３ｂ、９３ｃ、９３ｄ、９４ａ、９４ｂ、９４ｃ、９４ｄ…発光素子
１１０…第１リフレクタ（リフレクタ）
１１１…第１被覆部
１１３…第１反射部
１２０…第２リフレクタ（リフレクタ）
１２１…第２被覆部
１２３…第２反射部
２９１…兼用基板
Ｇ１…回転軸（第１回転軸、第２回転軸）
【図１】
2011098026.tif 000003
【図２】
2011098026.tif 000004
【図３】
2011098026.tif 000005
【図４】
2011098026.tif 000006
【図５】
2011098026.tif 000007
【図６】
2011098026.tif 000008
【図７】
2011098026.tif 000009
【図８】
2011098026.tif 000010
【図９】
2011098026.tif 000011
【図１０】
2011098026.tif 000012
【図１１】
2011098026.tif 000013
【図１２】
2011098026.tif 000014
【図１３】
2011098026.tif 000015
【図１４】
2011098026.tif 000016
【図１５】
2011098026.tif 000017
【図１６】
2011098026.tif 000018
【図１７】
2011098026.tif 000019
【図１８】
2011098026.tif 000020
【図１９】
2011098026.tif 000021
【図２０】
2011098026.tif 000022